(57)【要約】  携帯型電子機器は、機器本体と、前記機器本体を挟み込む第１カバー及び第２カバーと、を備え、前記第１カバーは、前記機器本体を抱え込むように保持する複数の保持部を有し、前記第２カバーは、該第２カバーを前記機器本体に対し固定する第２カバー固定部を有し、該第２カバー固定部によって前記機器本体に対し固定された状態で該機器本体との間に前記複数の保持部を挟持する。
2016103524.tif 000002
【特許請求の範囲】
【請求項１】
機器本体と、
前記機器本体を挟み込む第１カバー及び第２カバーと、を備え、
前記第１カバーは、前記機器本体を抱え込むように保持する複数の保持部を有し、
前記第２カバーは、該第２カバーを前記機器本体に対し固定する第２カバー固定部を有し、該第２カバー固定部によって前記機器本体に対し固定された状態で該機器本体との間に前記複数の保持部を挟持する、
ことを特徴とする携帯型電子機器。
【請求項２】
前記携帯型電子機器の角部を保護する複数の保護部材を更に備え、
前記複数の保護部材のうちの少なくとも１つは、該保護部材を前記第１カバー及び前記第２カバーの両方に対し一括して固定する保護部材固定部を有する、
ことを特徴とする請求項１記載の携帯型電子機器。
【請求項３】
前記携帯型電子機器の角部を保護する複数の保護部材を更に備え、
前記複数の保護部材のうちの少なくとも１つは、前記第２カバー固定部によって前記第２カバーとともに前記機器本体に対し固定される、
ことを特徴とする請求項１記載の携帯型電子機器。
【請求項４】
前記携帯型電子機器の角部を保護する複数の保護部材を更に備え、
前記複数の保護部材のうちの一部の保護部材は、該保護部材を前記第１カバー及び前記第２カバーの両方に対し一括して固定する保護部材固定部を有し、
前記複数の保護部材のうちの他の一部の保護部材は、前記第２カバー固定部によって前記第２カバーとともに前記機器本体に対し固定される、
ことを特徴とする請求項１記載の携帯型電子機器。
【請求項５】
前記第２カバーは、前記第１カバーを係止する係止部を更に有することを特徴とする請求項１記載の携帯型電子機器。
【請求項６】
前記第２カバー固定部は、前記携帯型電子機器の厚み方向に、前記第２カバーを前記機器本体に対し固定する固定ネジであることを特徴とする請求項１記載の携帯型電子機器。
【発明の詳細な説明】
【技術分野】
【０００１】
本発明は、機器本体と、この機器本体を挟み込む第１カバー及び第２カバーと、を備える携帯型電子機器に関する。
【背景技術】
【０００２】
従来、発注に用いられるＥＯＢ（Electric Order Book）端末などのタブレット端末や、その他の携帯型電子機器では、落下衝撃の吸収、防水性能の確保、或いは、操作部、バッテリーなどの取り付けのために、機器本体にカバージャケットが取り付けられることがある。【０００３】
このようなカバージャケットは、例えば、機器本体の正面側（例えば、表示部や操作部が設けられる面側）のカバーと背面側のカバーとによって機器本体を挟み込む。【０００４】
カバージャケットを機器本体に取り付ける手法としては、正面側のカバーと背面側のカバーとをネジで固定する手法が知られている（例えば、特許文献１及び２参照）。【０００５】
また、カバージャケットを機器本体に取り付ける手法として、正面側のカバー及び背面側のカバーのうち一方のカバーに設けられた凸部を他方のカバーに設けられた開口部に嵌め込む手法も知られている（例えば、特許文献３参照）。
【先行技術文献】
【特許文献】
【０００６】
【特許文献１】特開２０１４−１７９９９２号公報
【特許文献２】特開２００８−２０６０５７号公報
【特許文献３】特開２００８−２０９７０２号公報
【発明の概要】
【発明が解決しようとする課題】
【０００７】
しかしながら、正面側のカバーと背面側のカバーとをネジで固定することでカバージャケットを機器本体に取り付ける上述の手法では、正面側又は背面側のカバーにおける機器本体１００の周囲に、ボスなどのネジ固定用の構造が設けられることになる。そのため、特に、機器本体の正面及び背面と平行な平面において、カバージャケットが大型化する。【０００８】
また、一方のカバーに設けられた凸部を他方のカバーに設けられた開口部に嵌め込むことでカバージャケットを機器本体に取り付ける上述の手法では、嵌め込みによる取り付けであるため、カバージャケットを機器本体に強固に取り付けることが困難である。【０００９】
本発明の目的は、携帯型電子機器の大型化を防ぐことができるとともに、機器本体を挟み込む第１カバー及び第２カバーを機器本体に対し強固に取り付けることができる携帯型電子機器を提供することである。
【課題を解決するための手段】
【００１０】
１つの態様では、携帯型電子機器は、機器本体と、前記機器本体を挟み込む第１カバー及び第２カバーと、を備え、前記第１カバーは、前記機器本体を抱え込むように保持する複数の保持部を有し、前記第２カバーは、該第２カバーを前記機器本体に対し固定する第２カバー固定部を有し、該第２カバー固定部によって前記機器本体に対し固定された状態で該機器本体との間に前記複数の保持部を挟持する。
【発明の効果】
【００１１】
本発明によれば、携帯型電子機器の大型化を防ぐことができるとともに、機器本体を挟み込む第１カバー及び第２カバーを機器本体に対し強固に取り付けることができる。
【図面の簡単な説明】
【００１２】
【図１】本発明の一実施の形態に係る携帯型電子機器を背面側から見た分解斜視図である。
【図２】図１のＡＢＣＤ断面図である。
【発明を実施するための形態】
【００１３】
以下、本発明の実施の形態に係る携帯型電子機器について、図面を参照しながら説明する。
【００１４】
図１は、本発明の一実施の形態に係る携帯型電子機器１を背面側から見た分解斜視図である。
【００１５】
図２は、図１のＡＢＣＤ断面図である。
携帯型電子機器１は、機器本体１００と、この機器本体１００を挟み込む第１カバー１０及び第２カバー２０と、携帯型電子機器１の角部を保護する４つの保護部材３１〜３４と、を備える。
【００１６】
一例ではあるが、機器本体１００は、矩形板状を呈し、発注に用いられるＥＯＢ端末である。機器本体１００の正面側（図２における上側で、図１では表れないが図１における下側）には、表示パネル１０１が設けられている。なお、機器本体１００は、ＥＯＢ端末以外のタブレット端末や、タブレット端末以外の携帯型電子機器であってもよい。
【００１７】
第１カバー１０は機器本体１００の正面側に位置する。また、第１カバー１０は、機器本体１００を抱え込むように保持する複数の保持部１１（１１ａ〜１１ｇ）を有する。
【００１８】
保持部１１は、例えば爪部であり、第１カバー１０から携帯型電子機器１の背面側に突出し、機器本体１００を抱え込むべく先端側で機器本体１００の背面に向かって湾曲している。なお、図１の例では保持部１１は７つ（３辺に２つずつ、残りの１辺に１つ）設けられているが、保持部１１の数は複数であればよい。
【００１９】
第１カバー１０の外周部分（正面及び背面を除く上下左右の部分）には、複数の係止用凹部１２が設けられている。この係止用凹部１２には、第２カバー２０の図１に破線で示す係止凸部（係止部の一例）２５が嵌め込まれる。これにより、第１カバー１０と第２カバー２０とが係止される。
【００２０】
なお、第２カバー２０の外周面が第１カバー１０の外周面を覆うように位置するため、係止凸部２５は、第２カバー２０の外周部分から内側に突出するように設けられている。第２カバー２０に設けられる係止部としては、係止凸部２５ではなく係止用凹部１２のように凹部や開口部などであってもよい。その場合、第１カバー１０側に凸部が設けられることになる。
【００２１】
係止凸部２５は、例えば、第２カバー２０が機器本体１００に固定される際などに、第１カバー１０と第２カバー２０とを位置決めするために設けられており、係止凸部２５のみによって第２カバー２０を機器本体１００に取り付けるために設けられているのではない。そのため、係止凸部２５及びこの係止凸部２５が嵌め込まれる係止用凹部１２を省略してもよい。
【００２２】
第１カバー１０には、制御部１３が配置されている。この制御部１３は、機器本体１００に対するデータ送受信などの制御や、制御部１３の正面側において第１カバー１０に設けられた図示しない操作部の制御などを行う。
【００２３】
このように第１カバー１０には操作部及び制御部１３が設けられているため、第１カバー１０は、表示パネル１０１の表示面と平行な平面において、機器本体１００よりも大きく形成されている。
【００２４】
第２カバー２０の外周面は、第１カバー１０の外周面よりも外側に位置し、第２カバー２０は、第１カバー１０の制御部１３及び機器本体１００を覆う。そのため、第２カバー２０も、表示パネル１０１の表示面と平行な平面において、機器本体１００よりも大きく形成されている。但し、第１カバー１０に操作部や制御部１３が設けられない場合には、第１カバー１０及び第２カバー２０は、表示パネル１０１の表示面と平行な平面において、機器本体１００とほぼ同様の大きさにすることが可能である。
【００２５】
第１カバー１０のうち複数の保持部１１によって囲まれた領域には、機器本体１００の表示パネル１０１を外部に露出させるために、開口部１４が形成されている。
【００２６】
第２カバー２０は、機器本体１００の背面側に位置する。第２カバー２０は、この第２カバー２０を機器本体１００の例えば四つ角に対し固定する固定ネジ２１〜２４を有する。また、第２カバー２０は、固定ネジ２１〜２４によって機器本体１００に対し固定された状態で、図２に示すように、機器本体１００との間に上述の複数の保持部１１を挟持する。このように複数の保持部１１が挟持されることで、機器本体１００を抱え込むように保持する第１カバー１０も固定される。
【００２７】
固定ネジ２１〜２４のうちの一部である２つの固定ネジ２３，２４は、保護部材３３，３４とともに第２カバー２０を機器本体１００に対し固定する。この２つの固定ネジ２３，２４は、機器本体１００の四つ角のうち他の固定ネジ２１，２２が配置される角部よりも、制御部１３から離れた角部に配置されている。
【００２８】
なお、固定ネジ２１〜２４は、第２カバー２０の背面から挿入され、携帯型電子機器１の厚み方向（表示パネル１０１の表示面に直交する方向である図１及び図２における上下方向）に第２カバー２０を機器本体１００に対し固定する。しかし、固定ネジ２１〜２４は、第２カバー２０の外周面から挿入され、携帯型電子機器１の厚み方向とは異なる方向に第２カバー２０を機器本体１００に対し固定してもよい。
【００２９】
第２カバー２０の外周面の内側には、上述のように複数の係止用凹部１２に嵌め込まれる複数の係止凸部２５が設けられている。
【００３０】
保護部材３１〜３４は、携帯型電子機器１の角部を保護する。一例ではあるが、保護部材３１〜３４の材料（例えばゴム）は、第１カバー１０及び第２カバー２０の材料（例えばプラスチック）よりも衝撃吸収力が高い。なお、保護部材３１〜３４の数は、携帯型電子機器１の四つ角を保護するために４つであるが、単一の保護部材が２つの角部に亘って設けられて２つの角部を保護する場合などには２つでよく、４つに限られない。
【００３１】
保護部材３１〜３４は、第２カバー２０よりも背面側に位置するが、第２カバー２０とともに、携帯型電子機器１の背面及び外周面を構成し、携帯型電子機器１の四つ角のそれぞれの正面側及び背面側を保護する。なお、保護部材３１〜３４は、図２に示されるように、表示パネル１０１の表示面が鉛直上方に向くように配置された場合に、携帯型電子機器１の脚部としても機能する。
【００３２】
保護部材３１〜３４のうち、固定ネジ２３，２４により固定される保護部材３３，３４を除く２つの保護部材３１，３２は、これらの保護部材３１，３２を第１カバー１０及び第２カバー２０の両方に対し一括して固定する保護部材固定部の一例である固定ネジ３１ａ，３２ａを有する。
【００３３】
これらの固定ネジ３１ａ，３２ａは、機器本体１００の外側において、制御部１３を挟み込むように位置する。そのため、固定ネジ３１ａ，３２ａは、直接的には機器本体１００を固定するものではなく、第１カバー１０と第２カバー２０と保護部材３１，３２とを固定することで、間接的に機器本体１００を固定する。
【００３４】
なお、これらの固定ネジ３１ａ，３２ａの固定方向は、固定ネジ２１〜２４と同様に携帯型電子機器１の厚み方向であるが、携帯型電子機器１の厚み方向とは異なる方向であってもよい。
【００３５】
以上の説明では、複数の保持部１１を有する第１カバー１０が携帯型電子機器１の正面側のカバーであり、固定ネジ２１〜２４を有する第２カバー２０が携帯型電子機器１の背面側のカバーである。しかし、第１カバー１０が携帯型電子機器１の背面側のカバーであり、第２カバー２０が携帯型電子機器１の正面側のカバーであってもよい。
【００３６】
また、以上の説明では、保持部１１は、爪部であるが、例えば、機器本体１００を抱え込むように保持する位置とそこから退避した位置とに回動する部材であってもよく、機器本体１００を抱え込むように保持可能であれば爪部に限られない。
【００３７】
また、以上の説明では、第２カバー固定部の一例として固定ネジ２１〜２４を挙げ、保護部材固定部の一例として固定ネジ３１ａ，３２ａを挙げたが、第２カバー固定部及び保護部材固定部は、固定ネジに限られない。
【００３８】
例えば、第２カバー固定部として、機器本体１００から第２カバー２０を貫通して第２カバー２０の背面側に突出するレバーを設け、このレバーを回転させてロックする機構を採用してもよい。同様に、保護部材固定部として、第１カバー１０から第２カバー２０及び保護部材３１，３２を貫通して保護部材３１，３２の背面側に突出するレバーを設け、このレバーを回転させてロックする機構を採用してもよい。
【００３９】
以上説明した本実施の形態では、携帯型電子機器１は、機器本体１００と、この機器本体１００を挟み込む第１カバー１０及び第２カバー２０と、を備える。第１カバー１０は、機器本体１００を抱え込むように保持する複数の保持部１１を有する。第２カバー２０は、この第２カバー２０を機器本体１００に対し固定する第２カバー固定部の一例である固定ネジ２１〜２４を有し、これら固定ネジ２１〜２４によって機器本体１００に対し固定された状態で機器本体１００との間に複数の保持部１１を挟持する。
【００４０】
このように、機器本体１００を抱え込むように保持する複数の保持部１１が、機器本体１００と、この機器本体１００に固定される第２カバー２０とによって挟持されることで、第１カバー１０及び第２カバー２０を機器本体１００に対し強固に取り付けることができる。また、第１カバー１０と第２カバー２０とを互いに強固に固定するためにのみ用いられる固定ネジを省略することができるため、第１カバー１０又は第２カバー２０における機器本体１００の周囲において、ボスなどのネジ固定用の構造を省略することができる。これにより、特に、表示パネル１０１の表示面と平行な平面において、携帯型電子機器１の大型化を防ぐことができる。
【００４１】
よって、本実施の形態によれば、携帯型電子機器１の大型化を防ぐことができるとともに、機器本体１００を挟み込む第１カバー１０及び第２カバー２０を機器本体１００に対し強固に取り付けることができる。なお、携帯型電子機器１の大型化を防ぐことができることによって、携帯型電子機器１の外観が損なわれるのを防止したり、携帯型電子機器１の軽量化を図ったり、携帯型電子機器１の持ちやすさなどの携帯性を向上させたりすることもできる。また、第１カバー１０及び第２カバー２０を機器本体１００に対し強固に取り付けることができることによって、第１カバー１０及び第２カバー２０による落下衝撃の吸収性や防水性能をより一層向上させることができる。
【００４２】
また、本実施の形態では、上記複数の保護部材３１〜３４のうちの少なくとも１つ（保護部材３１，３２）は、この保護部材３１，３２を第１カバー１０及び第２カバー２０の両方に対し一括して固定する保護部材固定部の一例である固定ネジ３１ａ，３２ａを有する。そのため、保護部材３１，３２を固定するための固定ネジ３１ａ，３２ａによって、第１カバー１０及び第２カバー２０を機器本体１００に対しより一層強固に取り付けることができる。
【００４３】
また、本実施の形態では、上記複数の保護部材３１〜３４のうちの少なくとも１つ（保護部材３３，３４）は、第２カバー２０を機器本体１００に対し固定する固定ネジ２３，２４によって第２カバー２０とともに機器本体１００に対し固定される。そのため、簡素な構成で保護部材３３，３４を携帯型電子機器１に配置することができる。これにより、携帯型電子機器１の大型化をより一層防ぐことができる。
【００４４】
また、本実施の形態では、第２カバー２０は、係止用凹部１２に嵌め込まれ第１カバー１０を係止する係止部の一例である係止凸部２５を更に有する。そのため、第２カバー２０を機器本体１００に固定する際などに、第１カバー１０と第２カバー２０とを位置決めすることができる。
【００４５】
また、本実施の形態では、第２カバー固定部の一例が、携帯型電子機器１の厚み方向に、第２カバー２０を機器本体１００に対し固定する固定ネジ２１〜２４である。そのため、例えば、携帯型電子機器１の表示パネル１０１の表示面と平行な方向に第２カバー２０を機器本体１００に固定する場合と比較して、機器本体１００との間に保持部１１を確実に挟持することができる。或いは、特に、表示パネル１０１の表示面と平行な平面において、携帯型電子機器１の大型化をより一層防ぐことができる。
【００４６】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能であることはもちろんである。
【符号の説明】
【００４７】
１      携帯型電子機器
１０      第１カバー
１１（１１ａ〜１１ｇ）      保持部
１２      係止用凹部
１３      制御部
１４      開口部
２０      第２カバー
２１〜２４      固定ネジ
２５      係止凸部
３１〜３４      保護部材
３１ａ，３１ｂ      固定ネジ
１００      機器本体
１０１      表示パネル
【図１】
2016103524.tif 000003
【図２】
2016103524.tif 000004
【国際調査報告】
2016103524.tif 000005
2016103524.tif 000006